Podtech/llm-jp-corpus-v4-ja_patent huggingface dataset:
【手続補正書】
【提出日】平成24年6月27日(2012.6.27)
【手続補正１】
【補正対象書類名】明細書
【補正対象項目名】００１１
【補正方法】変更
【補正の内容】
【００１１】
上記目的を達成するために、本発明の通信装置は、複数のアドレスが割り当てられた通信装置であって、データを送信する送信手段と、前記データの種別を識別するためのデータ識別と、前記データの宛先を示す宛先アドレスとの組み合わせに、送信元アドレスとして使用される、前記複数のアドレスの中のいずれかのアドレスを対応付けて記憶する記憶手段と、前記送信手段がデータを送信する際に、前記記憶手段が記憶する情報に基づいて、当該送信されるデータのデータ識別と宛先アドレスとの組み合わせに対応するアドレスを送信元アドレスとして決定する決定手段と、前記決定手段により決定された送信元アドレスを用いて前記データを送信するよう前記送信手段を制御する制御手段とを備えることを特徴とする。
【手続補正２】
【補正対象書類名】特許請求の範囲
【補正対象項目名】全文
【補正方法】変更
【補正の内容】
【特許請求の範囲】
【請求項１】
複数のアドレスが割り当てられた通信装置であって、
データを送信する送信手段と、
前記データの種別を識別するためのデータ識別と、前記データの宛先を示す宛先アドレスとの組み合わせに、送信元アドレスとして使用される、前記複数のアドレスの中のいずれかのアドレスを対応付けて記憶する記憶手段と、
前記送信手段がデータを送信する際に、前記記憶手段が記憶する情報に基づいて、当該送信されるデータのデータ識別と宛先アドレスとの組み合わせに対応するアドレスを送信元アドレスとして決定する決定手段と、
前記決定手段により決定された送信元アドレスを用いて前記データを送信するよう前記送信手段を制御する制御手段とを備えることを特徴とする通信装置。
【請求項２】
前記決定手段は、前記データ識別と前記宛先アドレスとの組み合わせに対応するアドレスが前記憶手段に記憶されている場合には、当該組み合わせに対応するアドレスを送信元アドレスとして決定し、前記データ識別と前記宛先アドレスとの組み合わせに対応するアドレスが前記憶手段に記憶されていない場合には、第１の方法に基づいて前記複数のアドレスの中から選択されたアドレスを送信元アドレスとして決定することを特徴とする請求項１に記載の通信装置。
【請求項３】
前記第１の方法に基づく選択とは、ＲＦＣ３４８４に基づく選択であることを特徴とする請求項２に記載の通信装置。
【請求項４】
前記第１の方法に基づいて選択されたアドレスを送信元アドレスとして前記送信手段がデータを送信する場合に、前記記憶手段は、当該データのデータ識別と宛先アドレスとの組み合わせに、前記選択されたアドレスを対応付けて記憶することを特徴とする請求項２又は３に記載の通信装置。
【請求項５】
前記送信手段が送信するデータに特定の属性情報が含まれているか否かを判定する判定手段を更に備え、
前記決定手段は、前記判定手段によって前記データに特定の属性情報が含まれていると判定される場合には、前記記憶手段が記憶する情報に基づいて送信元アドレスを決定し、前記判定手段によって前記データに特定の属性情報が含まれていないと判定される場合には、第２の方法に基づいて前記複数のアドレスの中から選択されたアドレスを送信元アドレスとして決定することを特徴とする請求項１乃至４のいずれか１項に記載の情報処理装置。
【請求項６】
前記第２の方法に基づく選択とは、ＲＦＣ３４８４に基づく選択であることを特徴とする請求項５に記載の通信装置。
【請求項７】
前記アドレスはＩＰアドレスであることを特徴とする請求項１乃至６のいずれか１項に記載の通信装置。
【請求項８】
複数のＩＰアドレスが割り当てられた通信装置であって、
データを送信する送信手段と、
前記データの宛先を示す宛先アドレスと、送信元アドレスとして使用される、前記複数のＩＰアドレスの中のいずれかのＩＰアドレスとを対応付けて記憶する記憶手段と、
前記送信手段がデータを送信する際に、前記記憶手段が記憶する情報に基づいて、当該送信されるデータの宛先アドレスに対応するＩＰアドレスを送信元アドレスとして決定する決定手段と、
前記決定手段により決定された送信元アドレスを用いて前記データを送信するよう前記送信手段を制御する制御手段とを備えることを特徴とする通信装置。
【請求項９】
前記決定手段は、前記宛先アドレスに対応するＩＰアドレスが前記記憶手段に記憶されている場合には、当該宛先アドレスに対応するＩＰアドレスを送信元アドレスとして決定し、前記宛先アドレスに対応するＩＰアドレスが前記記憶手段に記憶されていない場合には、所定の方法に基づいて前記複数のＩＰアドレスの中から選択されたＩＰアドレスを送信元アドレスとして決定することを特徴とする請求項８に記載の通信装置。
【請求項１０】
前記所定の方法に基づく選択とは、ＲＦＣ３４８４に基づく選択であることを特徴とする請求項９に記載の通信装置。
【請求項１１】
前記所定の方法に基づいて選択されたＩＰアドレスを送信元アドレスとして前記送信手段がデータを送信する場合に、前記記憶手段は、当該データの宛先アドレスと前記選択されたＩＰアドレスとを対応付けて記憶することを特徴とする請求項９又は１０に記載の通信装置。
【請求項１２】
前記送信手段による送信において通信エラーが発生した場合に、当該送信に係る情報を前記記憶手段が記憶する情報の中から削除する削除手段を更に備えることを特徴とする請求項１乃至１１のいずれか１項に記載の通信装置。
【請求項１３】
複数のアドレスが割り当てられた通信装置の制御方法であって、
データを送信する送信工程と、
前記データの種別を識別するためのデータ識別と、前記データの宛先を示す宛先アドレスとの組み合わせに、送信元アドレスとして使用される、前記複数のアドレスの中のいずれかのアドレスを対応付けて記憶する記憶工程と、
前記送信工程でデータを送信する際に、前記記憶工程で記憶する情報に基づいて、当該送信されるデータのデータ識別と宛先アドレスとの組み合わせに対応するアドレスを送信元アドレスとして決定する決定工程と、
前記決定工程で決定された送信元アドレスを用いて前記データを送信するよう前記送信工程を制御する制御工程とを備えることを特徴とする通信装置の制御方法。
【請求項１４】
複数のＩＰアドレスが割り当てられた通信装置の制御方法であって、
データを送信する送信工程と、
前記データの宛先を示す宛先アドレスと、送信元アドレスとして使用される、前記複数のＩＰアドレスの中のいずれかのＩＰアドレスとを対応付けて記憶する記憶工程と、
前記送信工程でデータを送信する際に、前記記憶工程で記憶する情報に基づいて、当該送信されるデータの宛先アドレスに対応するＩＰアドレスを送信元アドレスとして決定する決定工程と、
前記決定工程で決定された送信元アドレスを用いて前記データを送信するよう前記送信工程を制御する制御工程とを備えることを特徴とする通信装置の制御方法。
【請求項１５】
請求項１４に記載の通信装置の制御方法をコンピュータに実行させるためのコンピュータで読み取り可能なプログラム。
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
撮像手段と、
記録の開始の指示と記録の停止の指示とを受け付ける入力手段と、
前記撮像手段により得られた動画像信号を記録媒体に記録する記録手段であって、前記記録の開始の指示に応じて前記記録媒体への前記動画像信号の記録を開始し、前記記録の停止の指示に応じて前記記録媒体への前記動画像信号の記録を停止する第１の撮影モードと、前記記録の開始の指示に応じて前記記録媒体への前記動画像信号の記録を開始し、前記動画像信号の記録開始後、第１の期間が経過したことに応じて前記記録媒体への前記動画像信号の記録を停止する第２の撮影モードとを含む複数の撮影モードから選択された撮影モードで動作する記録手段と、
前記記録媒体から動画像信号を再生する再生手段と、
前記第１の撮影モードで前記記録媒体に記録された動画像信号の再生中に切り出し指示を受けた場合、前記切り出し指示による切り出しの開始位置から、前記第１の期間と同じ長さである第２の期間の動画像信号を切り出し、前記切り出した動画像信号を前記記録媒体に記録するように前記記録手段を制御する制御手段とを備えることを特徴とする撮像装置。
【請求項２】
前記制御手段は、前記切り出し指示を受けた場合、前記再生中の動画像信号が前記第１の撮影モードで記録されたものであるかどうかを判別し、前記再生中の動画像信号が前記第１の撮影モードで記録されたものでなかった場合には前記第２の期間の動画像信号の切り出しを行わないことを特徴とする請求項１に記載の撮像装置。
【請求項３】
前記再生手段は、前記記録媒体に記録されている複数の動画像信号を順次に再生し、
前記制御手段は、前記判別において、前記再生中の動画像信号が前記第１の撮影モードで記録されたものでなかった場合には、前記再生手段によって次に再生される前記第１の撮影モードで記録された動画像信号の先頭から前記第２の期間の動画像信号を切り出すことを特徴とする請求項２に記載の撮像装置。
【請求項４】
前記制御手段は、前記切り出し指示による切り出しの開始位置から前記再生中の動画像信号の最後までの期間が前記第２の期間よりも短い場合には、前記指示された切り出し開始位置から当該動画像信号の最後までを切り出して前記記録媒体に記録するように前記記録手段を制御することを特徴とする請求項１に記載の撮像装置。
【請求項５】
前記制御手段は、前記切り出し指示による切り出しの開始位置から前記再生中の動画像信号の最後までの期間が前記第２の期間よりも短い場合には、前記動画像信号の切り出しを行わないことを特徴とする請求項１に記載の撮像装置。
【請求項６】
前記制御手段は、前記切り出し指示による切り出し開始位置から前記再生中の動画像信号の最後までの期間が、前記第２の期間よりも短い期間に設定された閾値以上の場合には前記再生中の動画像信号の前記切り出し開始位置から最後までを切り出して前記記録媒体に記録するように前記記録手段を制御し、前記閾値よりも短い場合には、次に再生される前記第１の撮影モードで記録された動画像信号の先頭から前記第２の期間の動画像信号を切り出して前記記録媒体に記録するように前記記録手段を制御することを特徴とする請求項１に記載の撮像装置。
【請求項７】
前記再生手段は、前記記録媒体に記録された複数の動画像信号のうち、前記第２の撮影モードで記録された動画像信号と前記切り出して記録された動画像信号とを選択して再生する再生モードを有することを特徴とする請求項１に記載の撮像装置。
【請求項８】
撮像手段と、
記録の開始の指示と記録の停止の指示とを受け付ける入力手段と、を備え、
前記撮像手段により得られた動画像信号を記録するための記録媒体を装着可能な撮像装置の制御方法であって、
記録手段が、前記記録の開始の指示に応じて前記記録媒体への前記動画像信号の記録を開始し、前記記録の停止の指示に応じて前記動画像信号の記録を停止する第１の撮影モードと、前記記録の開始の指示に応じて前記記録媒体への前記動画像信号の記録を開始し、前記動画像信号の記録開始後、第１の期間が経過したことに応じて前記記録媒体への前記動画像信号の記録を停止する第２の撮影モードとを含む複数の撮影モードから選択された撮影モードで前記記録媒体への動画信号の記録を実行する記録工程と、
再生手段が、前記記録媒体から動画像信号を再生する再生工程と、
制御手段が、前記第１の撮影モードで前記記録媒体に記録された動画像信号の再生中に切り出し指示を受けた場合、前記切り出し指示による切り出しの開始位置から、前記第１の期間と同じ長さである第２の期間の動画像信号を切り出し、前記切り出した動画像信号を前記記録媒体に記録するように前記記録手段を制御する制御工程とを有することを特徴とする撮像装置の制御方法。
【手続補正２】
【補正対象書類名】明細書
【補正対象項目名】０００６
【補正方法】変更
【補正の内容】
【０００６】
上記の目的を達成するための本発明の一態様による撮像装置は、以下の構成を備える。すなわち、
撮像手段と、
記録の開始の指示と記録の停止の指示とを受け付ける入力手段と、
前記撮像手段により得られた動画像信号を記録媒体に記録する記録手段であって、前記記録の開始の指示に応じて前記記録媒体への前記動画像信号の記録を開始し、前記記録の停止の指示に応じて前記記録媒体への前記動画像信号の記録を停止する第１の撮影モードと、前記記録の開始の指示に応じて前記記録媒体への前記動画像信号の記録を開始し、前記動画像信号の記録開始後、第１の期間が経過したことに応じて前記記録媒体への前記動画像信号の記録を停止する第２の撮影モードとを含む複数の撮影モードから選択された撮影モードで動作する記録手段と、
前記記録媒体から動画像信号を再生する再生手段と、
前記第１の撮影モードで前記記録媒体に記録された動画像信号の再生中に切り出し指示を受けた場合、前記切り出し指示による切り出しの開始位置から、前記第１の期間と同じ長さである第２の期間の動画像信号を切り出し、前記切り出した動画像信号を前記記録媒体に記録するように前記記録手段を制御する制御手段とを備える。
【手続補正書】
【提出日】平成24年6月21日(2012.6.21)
【手続補正１】
【補正対象書類名】明細書
【補正対象項目名】０００８
【補正方法】変更
【補正の内容】
【０００８】
本発明の目的を達成するために、例えば、本発明のレンズ交換式カメラは以下の構成を備える。即ち、レンズが装着されたレンズ交換式カメラであって、前記交換式カメラの画像処理パラメータ、及び撮影のために設定された撮影パラメータを前記レンズに送信する送信手段と、前記撮影パラメータおよび前記画像処理パラメータに基づいて前記レンズが作成した回復フィルタを、前記レンズから受信する受信手段と、前記受信手段が受信した回復フィルタをメモリに格納する手段とを備えることを特徴とする。
【手続補正２】
【補正対象書類名】特許請求の範囲
【補正対象項目名】全文
【補正方法】変更
【補正の内容】
【特許請求の範囲】
【請求項１】
レンズが装着されたレンズ交換式カメラであって、
前記交換式カメラの画像処理パラメータ、及び撮影のために設定された撮影パラメータを前記レンズに送信する送信手段と、
前記撮影パラメータおよび前記画像処理パラメータに基づいて前記レンズが作成した回復フィルタを、前記レンズから受信する受信手段と、
前記受信手段が受信した回復フィルタをメモリに格納する手段と
を備えることを特徴とするレンズ交換式カメラ。
【請求項２】
撮影の開始後、前記レンズに対して撮影画像の劣化を回復するために用いる回復フィルタの送信要求を行うか否かを判断する判断手段を更に備えることを特徴とする請求項１に記載のレンズ交換式カメラ。
【請求項３】
前記送信手段は、前記判断手段が前記送信要求を行うと判断した場合に、前記撮影パラメータを前記レンズに送信することを特徴とする請求項２に記載のレンズ交換式カメラ。
【請求項４】
前記画像処理パラメータは、前記交換式カメラの撮像素子のセンサピッチ、光学ローパスフィルタ、色成分フィルタの分光透過率、を含むことを特徴とする請求項１乃至３の何れか１項に記載のレンズ交換式カメラ。
【請求項５】
前記送信手段は、撮影前に前記画像処理パラメータを前記レンズに送信することを特徴とする請求項１乃至４の何れか１項に記載のレンズ交換式カメラ。
【請求項６】
前記判断手段は、連続撮影において最初の画像が撮影されると前記送信要求を行うと判断することを特徴とする請求項２に記載のレンズ交換式カメラ。
【請求項７】
前記判断手段は、撮影開始時点で設定されている撮影パラメータと、前回設定された撮影パラメータと、の差異が許容範囲内ではない場合に、前記送信要求を行うと判断することを特徴とする請求項２に記載のレンズ交換式カメラ。
【請求項８】
更に、
前記メモリに格納された回復フィルタを用いて、撮影画像の劣化を回復する為の処理を行う手段を備えることを特徴とする請求項１乃至７の何れか１項に記載のレンズ交換式カメラ。
【請求項９】
前記撮影パラメータは、絞り値、ズーム位置、撮影距離、を含むことを特徴とする請求項１乃至８の何れか１項に記載のレンズ交換式カメラ。
【請求項１０】
レンズが装着されたレンズ交換式カメラの制御方法であって、
前記交換式カメラの画像処理パラメータ、及び撮影のために設定された撮影パラメータを前記レンズに送信する送信工程と、
前記撮影パラメータおよび前記画像処理パラメータに基づいて前記レンズが作成した回復フィルタを、前記レンズから受信する受信工程と、
前記受信工程で受信した回復フィルタをメモリに格納する工程と
を備えることを特徴とするレンズ交換式カメラの制御方法。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
被検体を収容する空間に均一な静磁場を発生させる静磁場発生手段と、前記静磁場へ重畳して傾斜磁場を発生させる傾斜磁場発生手段と、前記被検体へ照射する高周波磁場を発生する高周波コイルと、前記被検体から発生するＮＭＲ信号を検出する手段と、前記検出された信号を画像化する手段と、ＣＳＩ撮像及び解析をするＣＳＩ撮像解析手段を備えた磁気共鳴イメージング装置であって、
前記ＣＳＩ撮像解析手段によりＣＳＩ撮像解析された各ボクセルの画像シリーズをそれらの位置関係を保有してフィルムに、フィルムミングするフィルミング手段を備えたことを特徴とする磁気共鳴イメージング装置。
【請求項２】
前記フィルミング手段によりフィルミングする際に、全ボクセルをフィルミングするために１枚のフィルムで不十分な場合には、フィルムを継ぎ足す手段を備えたことを特徴とする請求項１記載の磁気共鳴イメージング装置。
【請求項３】
被検体を収容する空間に均一な静磁場を発生させる静磁場発生ステップと、前記静磁場へ重畳して傾斜磁場を発生させる傾斜磁場発生ステップと、前記被検体へ照射する高周波磁場を発生するステップと、前記被検体から発生するＮＭＲ信号を検出するステップと、前記検出された信号を画像化するステップと、ＣＳＩ撮像及び解析をするステップを備えた磁気共鳴イメージング方法であって、
前記ＣＳＩ撮像及び解析をするステップによりＣＳＩ撮像解析された各ボクセルの画像シリーズをそれらの位置関係を保有してフィルムに、フィルムミングするフィルミングステップを備えたことを特徴とする磁気共鳴イメージング方法。
【請求項４】
前記フィルミングステップによりフィルミングする際に、全ボクセルをフィルミングするために１枚のフィルムで不十分な場合には、フィルムを継ぎ足すことを特徴とする請求項３記載の磁気共鳴イメージング方法。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球の獲得が可能とされる大当たり遊技を行う大当たり遊技実行手段と、
前記大当たり判定手段による判定処理にて大当たりが当選されたときには、前記大当たり遊技実行手段により大当たり遊技が行われた後に、遊技者にとって有利性の低い低確遊技状態と該低確遊技状態よりも前記大当たりが当選され易くなることによって遊技者にとって有利性が高くされた高確遊技状態とのいずれかを発生し得る状態制御手段と、
前記乱数取得手段により乱数が取得された場合、該取得された乱数に応じた前記大当たり判定手段による判定処理をその実行条件が成立するまで待機させて保留する遊技保留手段と、
前記状態制御手段により前記低確遊技状態に制御されているときに、前記大当たり判定手段による判定処理が未だ行われていない前記保留の状態にある段階から、前記大当たり遊技にかかわる演出としての前記判定処理の結果が大当たりとなる可能性があることを示す期待度演出を、前記乱数取得手段により取得された乱数を用いて実行する事前演出制御手段と、
を備え、
前記事前演出制御手段は、
前記状態制御手段により前記高確遊技状態に制御されているときには、前記低確遊技状態と同様に前記大当たり判定手段による判定処理が未だ行われていない前記保留の状態にある段階から前記大当たり遊技にかかわる演出を実行するものの、前記低確遊技状態とは異なり、前記大当たり遊技が実行されるならば、該大当たり遊技において払い出される賞球数の期待値が所定値以上の大当たりであるか否かを示す賞球期待値事前示唆手段を有する
ことを特徴とする遊技機。
【請求項２】
所定の演出画像が表示される表示手段をさらに備える
請求項１に記載の遊技機。
【請求項３】
前記事前演出制御手段は、
前記前記大当たり遊技の実行にかかわる演出が前記表示手段にて表示されるよう制御する
請求項２に記載の遊技機。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、遊技者に特典が付与される特別遊技を行う特別遊技実行手段と、
前記特別遊技実行手段により前記特別遊技が行われた後に、前記始動口への遊技球の入球が容易とされる特定遊技状態を発生し得る状態制御手段と、
前記乱数取得手段により乱数が取得された場合、該取得された乱数に応じた前記大当たり判定手段による判定処理をその実行条件が成立するまで待機させて保留する遊技保留手段と、
前記遊技保留手段により保留されている判定処理が消化されるときに大当たりに落選した場合であっても、前記大当たりが当選されていることを期待させることが可能な高期待図柄演出を所定の表示領域にて実行可能な図柄演出制御手段と、
前記遊技保留手段により未だ保留の状態にあるにもかかわらず、前記乱数取得手段により取得された乱数に基づいて、前記大当たり判定手段による判定処理が行われるときの大当たりの当選にかかる期待度が異なる複数種の表示形態のうち、いずれかの表示形態を、所定の表示領域にて事前に表示しうる期待度事前表示手段と、
前記乱数取得手段により取得された乱数に基づいて前記所定の表示領域にて表示される前記表示形態を、該取得された乱数よりも先に取得された乱数についての前記判定処理の実行に伴って変遷する表示形態を記憶する表示形態記憶手段と、
を備え、
前記特定遊技状態に制御されているときは、前記期待度事前表示手段により大当たりが当選されている期待度が相対的に高い特定の表示形態の表示に伴うことなく、前記大当たりが当選されていることを期待させうる前記高期待図柄演出の実行を抑制する
ことを特徴とする遊技機。
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
仙骨及び／またはその周辺の背中側の皮膚に直接または衣類を介して間接的に接触させる痔の予防または治療具であって、
通気性を有する収納体と、
前記収納体に封入され、空気との接触により酸化して発熱する発熱材と、
を備えている、予防または治療具。
【請求項２】
前記収納体の平面視の面積が、２８〜１４３ｃｍ２である、請求項１に記載の予防または治療具。
【請求項３】
前記収納体の通気度が、２１４〜４１３ｇ／ｍ２・ｄａｙである、請求項１または２に記載の予防または治療具。
【請求項４】
前記収納体は、平面視で矩形状に形成されるとともに、一端部に略三角形状の突出部を有している、請求項１から３のいずれかに記載の予防または治療具。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球が獲得可能とされる大当たり遊技を行う大当たり遊技実行手段と、
前記大当たり判定手段による判定処理の結果が大当たりであり、該大当たりの種別が特別大当たりである場合は、前記大当たり遊技実行手段により大当たり遊技が行われた後に、低確遊技状態よりも前記大当たりが当選される確率が高く設定された高確遊技状態への変更を実行可能な状態制御手段と、
前記乱数取得手段により乱数が取得された場合、該取得された乱数に応じた前記大当たり判定手段による判定処理をその実行条件が成立するまで待機させて保留する遊技保留手段と、
前記判定処理についての保留状況を遊技者が認識可能となるように、それら保留の状態とされている判定処理毎の保留表示がそれぞれ所定の表示部にて現れるかたちで当該保留表示にかかる表示制御を行う保留表示制御手段と
を備え、
前記保留表示制御手段は、
前記状態制御手段により前記低確遊技状態に制御されているときに、前記乱数取得手段により乱数が取得された場合、この乱数が供される特定の判定処理について、その実行条件が成立する時点で現れている保留表示の表示形態を、複数種の表示形態の中から判断するとともに、該判断に応じた特定の表示形態を、当該特定の判定処理についての保留表示の表示形態として出現させるように制御する保留形態制御手段、
前記保留形態制御手段により特定の表示形態を出現させることが判断されているにもかかわらず、前記特定の表示形態よりも大当たり信頼度の低い別の表示形態を、前記特定の判定処理についての保留表示の表示形態として先行して出現させるように制御する低信頼度偽形態制御手段、及び
前記低信頼度偽形態制御手段による制御によって、前記特定の判定処理についての保留表示の表示形態として前記大当たり信頼度の低い別の表示形態が先行して出現している間に、当該特定の判定処理よりも先に消化される判定処理にて前記特別大当たりが当選された場合は、前記状態制御手段による高確遊技状態への変更が実行されるのに先立って、前記保留形態制御手段により出現させるべき旨判断されている前記特定の表示形態が出現されることのないままで、前記大当たり信頼度の低い別の表示形態を消滅させるように制御する手段
を有しており、
前記保留形態制御手段は、
前記低信頼度偽形態制御手段による制御によって前記所定の表示部にて出現している前記大当たり信頼度の低い別の表示形態に代えて、前記判断に応じた特定の表示形態を出現させるときには、キャラクタによる特定の演出動作が現れるように制御する手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００９
【補正方法】変更
【補正の内容】
【０００９】
手段１：始動口への遊技球の入球に基づいて乱数を取得する乱数取得手段と、前記乱数取得手段により取得される乱数に基づいて、大当たりについての判定処理を行う大当たり判定手段と、前記大当たり判定手段による判定処理の結果が大当たりであることに基づいて、遊技者に特典が付与される特別遊技を行う特別遊技実行手段と、前記乱数取得手段により乱数が取得された場合、該取得された乱数に応じた前記大当たり判定手段による判定処理をその実行条件が成立するまで待機させて保留する遊技保留手段と、前記判定処理についての保留状況を遊技者が認識可能となるように、それら保留の状態とされている判定処理毎の保留表示がそれぞれ所定の表示部にて現れるかたちで当該保留表示にかかる表示制御を行う保留表示制御手段と、前記大当たり判定手段による判定処理が保留の状態とされている間にこれに供される乱数に基づいて、当該判定処理が行われるときの大当たりの当選にかかる期待度を先行判定する期待度先行判定手段と、を備え、前記保留表示制御手段は、前記期待度先行判定手段により前記期待度が高い旨判定されている信頼度として各々異なる信頼度が対応付けされた複数種の表示形態を有し、それら表示形態のいずれかを採用して保留表示される特別な保留表示態様が記憶されている保留表示態様記憶手段、及び前記特別な保留表示態様にて保留表示するときには、前記期待度が高い旨判定されているか否かにかかわらず前記複数種の表示形態のうちの前記信頼度の低い特定の表示形態をもって保留表示可能な低信頼度表示制御手段、及び前記低信頼度表示制御手段により前記複数種の表示形態のうちの前記信頼度の低い特定の表示形態をもって保留表示されたとき、当該保留表示が消化されるよりも前の前記所定の表示部にて現れている間に、その表示形態を、前記複数種の表示形態のうちの前記期待度先行判定手段による先行判定の結果に見合った表示態様に昇格変更させる変更制御を実行可能な低信頼度表示解除制御手段を有することを特徴とする遊技機。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球が獲得可能とされる大当たり遊技を行う大当たり遊技実行手段と、
前記乱数取得手段により乱数が取得された場合、該取得された乱数に応じた前記大当たり判定手段による判定処理をその実行条件が成立するまで待機させて保留する遊技保留手段と、
前記判定処理についての保留状況を遊技者が認識可能となるように、それら保留の状態とされている判定処理毎の保留表示がそれぞれ所定の表示部にて現れるかたちで当該保留表示にかかる表示制御を行う保留表示制御手段と
を備え、
前記保留表示制御手段は、
前記乱数取得手段により乱数が取得された場合、この乱数が供される特定の判定処理について、その大当たり信頼度が高いことを示す特定の表示態様が持たされた保留表示を所定の表示部にて出現させるか否かを判断する特定表示判断手段、
前記特定表示判断手段により特定の表示態様が持たされた保留表示を所定の表示部にて出現させる旨判断されることに基づいて、前記特定の判定処理についての保留表示として、特定の表示態様が持たされた保留表示を所定の表示部にて出現させる制御を行う第１の特定表示制御手段、
前記特定表示判断手段により特定の表示態様が持たされた保留表示を所定の表示部にて出現させる旨判断されていないにもかかわらず、前記特定の判定処理についての保留表示として、特定の表示態様が持たされた保留表示を所定の表示部にて出現させる制御を行う第２の特定表示制御手段、及び
前記第２の特定表示制御手段による制御によって前記特定の表示態様が持たされた保留表示を所定の表示部にて出現させた場合、前記特定の判定処理についての実行条件が成立されるのに先立って、前記所定の表示部にて出現されている特定の表示態様これ自体を消滅させる制御を実行可能な手段
を有することを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００９
【補正方法】変更
【補正の内容】
【０００９】
手段１：始動口への遊技球の入球に基づいて乱数を取得する乱数取得手段と、前記乱数取得手段により取得される乱数に基づいて、大当たりについての判定処理を行う大当たり判定手段と、前記大当たり判定手段による判定処理の結果が大当たりであることに基づいて、遊技者に特典が付与される特別遊技を行う特別遊技実行手段と、前記乱数取得手段により乱数が取得された場合、該取得された乱数に応じた前記大当たり判定手段による判定処理をその実行条件が成立するまで待機させて保留する遊技保留手段と、前記判定処理についての保留状況を遊技者が認識可能となるように、それら保留の状態とされている判定処理毎の保留表示がそれぞれ所定の表示部にて現れるかたちで当該保留表示にかかる表示制御を行う保留表示制御手段と、前記大当たり判定手段による判定処理が保留の状態とされている間にこれに供される乱数に基づいて、当該判定処理が行われるときの大当たりの当選にかかる期待度を先行判定する期待度先行判定手段と、を備え、前記保留表示制御手段は、前記期待度先行判定手段により前記期待度が高い旨判定されることに基づいて、該期待度が高い旨判定された判定処理の保留表示については通常の表示態様とは異なる特定の表示態様が現れるかたちでの表示制御を実行可能とする事前示唆手段、及び前記期待度先行判定手段により前記期待度が高い旨判定されていないにもかかわらず前記特定の表示態様をもった保留表示が所定の表示部にて現れるかたちでの偽表示制御を実行可能である一方で、当該偽表示制御を実行したときには、該偽表示制御による保留表示が消化されるよりも前の前記所定の表示部にて現れている間に、その表示形態を前記特定の表示態様から前記通常の表示態様に表示変更させる変更制御をさらに実行可能な変更演出制御手段を有することを特徴とする遊技機。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球の獲得が可能とされる大当たり遊技を行う大当たり遊技実行手段と、
前記大当たり判定手段による判定処理にて大当たりが当選されたときには、前記乱数取得手段により取得された乱数に基づいて、前記大当たり遊技実行手段により大当たり遊技が行われた後に、遊技者にとって有利性の低い低確遊技状態と該低確遊技状態よりも前記大当たりが当選され易くなることによって遊技者にとって有利性が高くされた高確遊技状態とのいずれかを発生し得る状態制御手段と、
前記乱数取得手段により乱数が取得された場合、該取得された乱数に応じた前記大当たり判定手段による判定処理をその実行条件が成立するまで待機させて保留する遊技保留手段と、
前記状態制御手段により前記低確遊技状態に制御されているときに、前記大当たり判定手段による判定処理の実行条件が未だ成立していない判定処理について、該判定処理が行われるならば前記大当たりと判定される可能性が高いことを示す大当たり示唆演出を、前記遊技保留手段により未だ保留の状態にあるときに実行する低確事前演出制御手段と、
前記状態制御手段により前記高確遊技状態に制御されているときにも、前記大当たり判定手段による判定処理の実行条件が未だ成立していない判定処理についての結果にかかわる演出を実行するものの、前記低確遊技状態とは異なり、前記判定処理の結果が大当たりであると判定されるならば該大当たりに基づく大当たり遊技の後に前記低確遊技状態及び前記高確遊技状態のいずれが発生するかを示す遊技状態示唆演出を、前記遊技保留手段により未だ保留の状態にあるときに実行する高確事前演出制御手段と、
を備え、前記低確遊技状態及び前記高確遊技状態のいずれに制御されているときであっても、前記大当たり判定手段による判定処理の実行条件が未だ成立していない判定処理についての結果にかかわる演出が前記保留の状態にあるときに実行されるものの、前記低確遊技状態と前記高確遊技状態とで遊技者に示唆しうる内容が異なるようにした
ことを特徴とする遊技機。
【請求項２】
所定の演出画像が表示される表示手段をさらに備える
請求項１に記載の遊技機。
【請求項３】
前記大当たり示唆演出及び前記遊技状態示唆演出は、いずれも、前記表示手段にて実行されるようにした
請求項２に記載の遊技機。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
医用画像診断装置によって収集されたデータから得られた第１の３次元画像と、第２の３次元画像とを合成して表示する医用画像表示装置において、
前記第１の３次元画像における機能領域又は区域を、前記第２の３次元画像に基づいて特定するための領域特定手段と、
前記領域特定手段で求めた第１の３次元画像の機能領域又は区域に対して、透明度の設定を行う設定手段と、
前記設定手段により設定された透明度に基づいて、前記第１の３次元画像と前記第２の３次元画像を合成処理したボリュームレンダリング画像を生成する合成処理部と、
を具備したことを特徴とする医用画像表示装置。
【請求項２】
前記領域特定手段は、前記診断対象部位が脳であるときは、前記第１の３次元画像を脳機能賦活領域毎に分割することを特徴とする請求項１記載の医用画像表示装置。
【請求項３】
前記領域特定手段は、前記診断対象部位が肝臓であるときは、前記第１の３次元画像を肝区域毎に複数に分割することを特徴とする請求項１記載の医用画像表示装置。
【請求項４】
前記第２の３次元画像は、ＭＲＩ装置によって取得した少なくとも１つの機能画像、又は複数の機能画像を合成して作成したことを特徴とする請求項１記載の医用画像表示装置。
【請求項５】
前記第２の３次元画像は、前記医用画像診断装置によって取得した少なくとも１つの形態画像を用いて作成したことを特徴とする請求項１記載の医用画像表示装置。
【請求項６】
前記設定手段は、前記第１の３次元画像の前記機能領域又は区域内において、前記第２の３次元画像データの重なり度の大きい領域又は区域ほど透明度を高く設定することを特徴とする請求項１記載の医用画像表示装置。
【請求項７】
前記設定手段は、前記第１の３次元画像の前記機能領域又は区域の透明度を操作者によって手動で設定可能であることを特徴とする請求項６記載の医用画像表示装置。
【請求項８】
前記合成処理部は、前記合成処理したボリュームレンダリング画像の角度、位置、拡大率の少なくとも１つを調整可能にしたことを特徴とする請求項１に記載の医用画像表示装置。
【請求項９】
医用画像診断装置によって収集されたデータから得られた第１の３次元画像と、第２の３次元画像とを合成して表示する医用画像表示方法において、
前記第１の３次元画像における機能領域又は区域を、前記第２の３次元画像に基づいて特定し、
前記領域特定手段で求めた第１の３次元画像の機能領域又は区域に対して、透明度の設定を行い、
前記設定手段により設定された透明度に基づいて、前記第１の３次元画像と前記第２の３次元画像を合成処理してボリュームレンダリング画像を生成することを特徴とする医用画像表示方法。
【請求項１０】
前記第１の３次元画像の前記機能領域又は区域内において、前記第２の３次元画像データの重なり度の大きい領域又は区域ほど透明度を高く設定することを特徴とする請求項９記載の医用画像表示方法。
【手続補正２】
【補正対象書類名】明細書
【補正対象項目名】００１２
【補正方法】変更
【補正の内容】
【００１２】
請求項１記載の医用画像表示装置は、医用画像診断装置によって収集されたデータから得られた第１の３次元画像と、第２の３次元画像とを合成して表示する医用画像表示装置において、前記第１の３次元画像における機能領域又は区域を、前記第２の３次元画像に基づいて特定するための領域特定手段と、前記領域特定手段で求めた第１の３次元画像の機能領域又は区域に対して、透明度の設定を行う設定手段と、前記設定手段により設定された透明度に基づいて、前記第１の３次元画像と前記第２の３次元画像を合成処理したボリュームレンダリング画像を生成する合成処理部と、を具備したことを特徴とする。
【手続補正３】
【補正対象書類名】明細書
【補正対象項目名】００１３
【補正方法】変更
【補正の内容】
【００１３】
また、請求項９記載の医用画像表示方法は、医用画像診断装置によって収集されたデータから得られた第１の３次元画像と、第２の３次元画像とを合成して表示する医用画像表示方法において、前記第１の３次元画像における機能領域又は区域を、前記第２の３次元画像に基づいて特定し、前記領域特定手段で求めた第１の３次元画像の機能領域又は区域に対して、透明度の設定を行い、前記設定手段により設定された透明度に基づいて、前記第１の３次元画像と前記第２の３次元画像を合成処理してボリュームレンダリング画像を生成することを特徴とする。
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
Ｘ線を発生させるＸ線管と、
複数のＸ線検出素子をチャンネル方向とスライス方向とにマトリクス状に配置して構成され、被検体を透過した前記Ｘ線を検出して投影データを出力するＸ線検出器と、
前記Ｘ線管と前記Ｘ線検出器とを回転させる回転手段と、
前記投影データに基づいて画像再構成演算を行う画像再構成手段と、を備え、
前記Ｘ線管と前記Ｘ線検出器との間に減弱体を配置してスキャン撮影して得た投影データに基づくサイノグラムを読み込むサイノグラム読込手段と、
前記サイノグラムに基づいて、所定ビュー毎の前記減弱体の濃度値をチャンネルに対してプロットした濃度プロファイルを生成する濃度プロファイル生成手段と、
前記所定ビュー毎の濃度プロファイルの各々について、濃度プロファイルの代表点が位置する代表チャンネルを算出する代表チャンネル算出手段と、
前記濃度プロファイル上において計測対象となる前記Ｘ線検出素子間に対応するチャンネル間を挟んだ、複数ビューに亘る前記代表チャンネル位置の変化量と、前記代表チャンネル位置の変化量の理想値と、前記計測対象となる前記Ｘ線検出素子間の設計値と、に基づいて、前記Ｘ線検出素子間のチャンネル方向の距離を算出する距離算出手段と、
を備えることを特徴とするＸ線ＣＴ装置。
【請求項２】
前記距離算出手段は、前記代表チャンネル位置の変化量と前記理想値との差分に前記設計値を乗じた値を前記Ｘ線検出素子間の距離の前記設計値からのずれ量として算出し、このずれ量に前記設計値を加算することにより前記Ｘ線検出素子間の距離を算出する、
ことを特徴とする請求項１に記載のＸ線ＣＴ装置。
【請求項３】
前記理想値は、前記計測対象となる前記Ｘ線検出素子間が前記設計値に従って配置されたときの前記代表チャンネル位置の変化量の幾何学的な理論値、又は前記濃度プロファイル上において前記計測対象となる前記Ｘ線検出素子間に対応するチャンネル間を挟まない複数のビューに亘る前記代表チャンネル位置の変化量である、
ことを特徴とする請求項１又は２に記載のＸ線ＣＴ装置。
【請求項４】
前記Ｘ線ＣＴ装置は、算出された前記Ｘ線検出素子間の距離に基づいて、前記投影データが得られないチャンネル間の投影データを補間又は補正する投影データ補間／補正手段を更に備え、
前記画像再構成手段は、補間又は補正後の前記投影データに基づいて画像再構成演算を行う、
ことを特徴とする請求項１乃至３の何れか一つに記載のＸ線ＣＴ装置。
【請求項５】
前記Ｘ線ＣＴ装置は、算出された前記Ｘ線検出素子間の距離を表示する表示手段を更に備える、
ことを特徴とする請求項１乃至４の何れか一つに記載Ｘ線ＣＴ装置。
【請求項６】
前記Ｘ線検出器は、基板と、この基板に配列された複数チャンネルの光電変換素子と、この光電変換素子上に積層されたシンチレータアレイと、を備えて構成されたＸ線検出素子モジュールを、隙間をあけてチャンネル方向に配置して構成され、
前記距離算出手段は、前記Ｘ線検出素子モジュール間の隙間を、前記Ｘ線検出素子間の距離として算出する、
ことを特徴とする請求項１乃至５の何れか一つに記載のＸ線ＣＴ装置。
【請求項７】
前記減弱体は、この減弱体の前記濃度プロファイルの前記チャンネル方向の幅が、前記Ｘ線検出素子モジュールの幅以下となる金属製の円柱状体を用いて構成される、
ことを特徴とする請求項６に記載のＸ線ＣＴ装置。
【請求項８】
前記サイノグラム読込手段は、前記減弱体をスキャン範囲外に設置してスキャン撮影することにより得られた投影データに基づく前記サイノグラムを読み込む、
ことを特徴とする請求項１乃至７の何れか一つに記載のＸ線ＣＴ装置。
【請求項９】
前記サイノグラム読込手段は、前記減弱体を複数回スキャン撮影することにより得られた投影データを平均化して得られた前記サイノグラムを読み込む、
ことを特徴とする請求項１乃至７の何れか一つに記載のＸ線ＣＴ装置。
【請求項１０】
Ｘ線ＣＴ装置に搭載され、複数のＸ線検出素子をチャンネル方向とスライス方向とにマトリクス状に配置して構成され、被検体を透過した前記Ｘ線を検出して投影データを出力するＸ線検出器の前記Ｘ線検出素子間の距離を計測するための計測プログラムであって、
前記Ｘ線ＣＴ装置により、減弱体をスキャン撮影して得た投影データに基づくサイノグラムを読み込むサイノグラム読込ステップと、
前記サイノグラムに基づいて、所定ビュー毎の前記減弱体の濃度値をチャンネルに対してプロットした濃度プロファイルを生成する濃度プロファイル生成ステップと、
前記所定ビュー毎の濃度プロファイルの各々について、濃度プロファイルの代表点が位置する代表チャンネルを算出する代表チャンネル算出ステップと、
前記濃度プロファイル上において計測対象となる前記Ｘ線検出素子間に対応するチャンネル間を挟んだ、複数ビューに亘る前記代表チャンネル位置の変化量と、前記代表チャンネル位置の変化量の理想値と、前記計測対象となる前記Ｘ線検出素子間の設計値と、に基づいて、前記Ｘ線検出素子間のチャンネル方向の距離を算出する距離算出ステップと、
をコンピュータに実行させることを特徴とするＸ線検出器のＸ線検出素子間の距離を計測するための計測プログラム。
【手続補正書】
【提出日】平成24年6月8日(2012.6.8)
【手続補正１】
【補正対象書類名】明細書
【補正対象項目名】００１１
【補正方法】変更
【補正の内容】
【００１１】
第五の発明は、（５）前記揮発性油剤が鎖状ジメチルポリシロキサンである、（１）〜（４）の何れかに記載の粉体化粧料入りの容器の製造方法である。
鎖状ジメチルポリシロキサンは緩慢な条件で揮発するので、第３工程を効率的に行うことができる。
【手続補正書】
【提出日】平成24年6月27日(2012.6.27)
【手続補正１】
【補正対象書類名】特許請求の範囲
【補正対象項目名】請求項３
【補正方法】変更
【補正の内容】
【請求項３】
不揮発的にデータを保持可能なＲＡＭと、遊技における当否判定に用いられる第１乱数を発生させる第１乱数発生手段と、少なくとも、前記第１乱数に基づく当否判定制御を行なう制御手段と、前記ＲＡＭの保持内容をクリアする時に操作されるクリアスイッチとを備えた遊技機において、
当該遊技機に通電時に前記クリアスイッチが操作されていたか否かを推定する第１操作判定手段と、
該第１操作判定手段により前記クリアスイッチが操作されていた判定された場合に、該クリアスイッチが操作されていない状態に遷移したか否かを判定する第１非操作判定手段と、
該第１非操作判定手段により前記クリアスイッチが操作されていない状態に遷移したと判定された場合に、該クリアスイッチが操作された状態に遷移したか否かを判定する第２操作判定手段と、
該第２操作判定手段により前記クリアスイッチが操作された状態に遷移したと判定された場合に、該クリアスイッチが操作されていない状態に遷移したか否かを判定する第２非操作判定手段と、
当該遊技機に通電されると起動して、前記第１乱数とは独立した第２乱数を、時間経過と共に更新させつつ発生させる第２乱数発生手段と、
前記第１非操作判定手段により、前記クリアスイッチが操作されていない状態に遷移したと判定されると、前記第２乱数発生手段が発生した乱数である第５変数値を取得し、前記第２操作判定手段により、前記クリアスイッチが操作されている状態に遷移したと判定されると、前記第２乱数発生手段が発生した乱数である第６変数値を取得し、前記第２非操作判定手段により、前記クリアスイッチが操作されていない状態に遷移したと判定されると、前記第２乱数発生手段が発生した乱数である第７変数値を取得すると共に、該第７変数値、前記第６変数値、および前記第５変数値の内の少なくとも２者に基づいて算出した数値を、前記第１乱数の初期値として設定する第３初期値設定手段と、
前記第１操作判定手段により、前記クリアスイッチが操作されていなかったと判定されると、前記ＲＡＭに保持されたデータに基づいて当該遊技機の遊技状態を復旧する復旧手段と、
を備えたことを特徴とする遊技機。
【手続補正２】
【補正対象書類名】明細書
【補正対象項目名】０００８
【補正方法】変更
【補正の内容】
【０００８】
請求項３に記載の本発明は、不揮発的にデータを保持可能なＲＡＭと、遊技における当否判定に用いられる第１乱数を発生させる第１乱数発生手段と、少なくとも、前記第１乱数に基づく当否判定制御を行なう制御手段と、前記ＲＡＭの保持内容をクリアする時に操作されるクリアスイッチとを備えた遊技機において、当該遊技機に通電時に前記クリアスイッチが操作されていたか否かを推定する第１操作判定手段と、該第１操作判定手段により前記クリアスイッチが操作されていた判定された場合に、該クリアスイッチが操作されていない状態に遷移したか否かを判定する第１非操作判定手段と、該第１非操作判定手段により前記クリアスイッチが操作されていない状態に遷移したと判定された場合に、該クリアスイッチが操作された状態に遷移したか否かを判定する第２操作判定手段と、該第２操作判定手段により前記クリアスイッチが操作された状態に遷移したと判定された場合に、該クリアスイッチが操作されていない状態に遷移したか否かを判定する第２非操作判定手段と、当該遊技機に通電されると起動して、前記第１乱数とは独立した第２乱数を、時間経過と共に更新させつつ発生させる第２乱数発生手段と、
前記第１非操作判定手段により、前記クリアスイッチが操作されていない状態に遷移したと判定されると、前記第２乱数発生手段が発生した乱数である第５変数値を取得し、前記第２操作判定手段により、前記クリアスイッチが操作されている状態に遷移したと判定されると、前記第２乱数発生手段が発生した乱数である第６変数値を取得し、前記第２非操作判定手段により、前記クリアスイッチが操作されていない状態に遷移したと判定されると、前記第２乱数発生手段が発生した乱数である第７変数値を取得すると共に、該第７変数値、前記第６変数値、および前記第５変数値の内の少なくとも２者に基づいて算出した数値を、前記第１乱数の初期値として設定する第３初期値設定手段と、前記第１操作判定手段により、前記クリアスイッチが操作されていなかったと判定されると、前記ＲＡＭに保持されたデータに基づいて当該遊技機の遊技状態を復旧する復旧手段とを備えたことを特徴とする。